(57)【要約】      （修正有）【課題】携帯情報端末へのクレジット決済機能の追加を、より安全に、かつ容易に、行うことができるようにする。【解決手段】携帯電話機１にクレジットカードが近接されたとき、そのクレジットカードに配設されている非接触ＩＣカードに記憶されているカードＩＤが携帯電話機１により読み出される。カードＩＤは、携帯電話機１からカード管理システム６１に送信され、有効なものであるか否かが確認される。カードＩＤが有効なものであることが確認されたとき、カード管理システム６１から携帯電話機１に対して、カードＩＤの書き込みが指示される。携帯電話機１に書き込まれたカードＩＤは、ユーザが商品の注文を行ったときに、その代金の決済を行うために、携帯電話機１から提供される。本発明は、携帯電話機やＰＤＡなどの携帯情報端末に適用することができる。【選択図】図４
2004287593.tif 000002
【特許請求の範囲】
【請求項１】
決済管理装置と携帯情報端末からなる通信システムにおいて、
前記決済管理装置は、
前記携帯情報端末のユーザが加入する所定のクレジットサービスにおいて、前記ユーザに対して割り当てられ、所定の決済に用いられる識別情報が有効なものであるか否かを判定する判定手段と、
前記判定手段により前記識別情報が有効なものであると判定された場合、前記携帯情報端末に前記識別情報を記憶させる記憶制御手段と
を備え、
前記携帯情報端末は、
前記クレジットサービスにおいて発行されたクレジットカードに配設されるＩＣチップから、無線通信にて前記識別情報を読み出す読み出し手段と、
前記読み出し手段により読み出された前記識別情報を、前記決済管理装置に送信し、前記識別情報が有効なものであることが確認されたときに前記決済管理装置により行われる指示に基づいて、前記識別情報を記憶する記憶手段と
を備えることを特徴とする通信システム。
【請求項２】
決済管理装置と携帯情報端末からなる通信システムにおいて、
前記決済管理装置は、
前記携帯情報端末のユーザが加入する所定のクレジットサービスにおいて、前記ユーザに対して割り当てられ、所定の決済に用いられる識別情報が有効なものであるか否かを判定する判定手段と、
前記判定手段により前記識別情報が有効なものであると判定された場合、前記携帯情報端末に前記識別情報を記憶させる記憶制御手段と
を備え、
前記携帯情報端末は、
前記決済管理装置に対して、前記ユーザを識別するユーザ識別情報を送信する送信手段と、
前記送信手段により送信された前記ユーザ識別情報に対応付けて前記決済管理装置により管理されている前記識別情報が有効なものであると判定された場合に、前記決済管理装置から提供される前記識別情報を記憶する記憶手段と
を備えることを特徴とする通信システム。
【請求項３】
携帯情報端末のユーザが加入する所定のクレジットサービスにおいて、前記ユーザに対して割り当てられ、所定の決済に用いられる識別情報が有効なものであるか否かを判定する判定手段と、
前記判定手段により前記識別情報が有効なものであると判定された場合、前記携帯情報端末に前記識別情報を記憶させる記憶制御手段と
を備えることを特徴とする決済管理装置。
【請求項４】
前記判定手段は、前記クレジットサービスにおいて、前記ユーザに発行されたクレジットカードに配設されるＩＣチップから、無線通信にて前記携帯情報端末により読み出され、提供される前記識別情報が有効なものであるか否かを判定する
ことを特徴とする請求項３に記載の決済管理装置。
【請求項５】
前記ユーザを識別するユーザ識別情報と、前記識別情報を対応付けて管理する管理手段をさらに備え、
前記判定手段は、前記携帯情報端末から送信される前記ユーザ識別情報に対応付けて、前記管理手段により管理されている前記識別情報が有効なものであるか否かを判定する
ことを特徴とする請求項３に記載の決済管理装置。
【請求項６】
携帯情報端末のユーザが加入する所定のクレジットサービスにおいて、前記ユーザに対して割り当てられ、所定の決済に用いられる識別情報が有効なものであるか否かを判定する判定ステップと、
前記判定ステップの処理により前記識別情報が有効なものであると判定された場合、前記携帯情報端末に前記識別情報を記憶させる記憶制御ステップと
を含むことを特徴とする決済管理方法。
【請求項７】
携帯情報端末のユーザが加入する所定のクレジットサービスにおいて、前記ユーザに対して割り当てられ、所定の決済に用いられる識別情報が有効なものであるか否かを判定する判定ステップと、
前記判定ステップの処理により前記識別情報が有効なものであると判定された場合、前記携帯情報端末に前記識別情報を記憶させる記憶制御ステップと
を含むことを特徴とするコンピュータが読み取り可能なプログラム。
【請求項８】
ユーザが加入するクレジットサービスにおいて発行されたクレジットカードに配設されるＩＣチップから、無線通信にて、前記ユーザに対して割り当てられ、所定の決済に用いられる識別情報を読み出す読み出し手段と、
前記読み出し手段により読み出された前記識別情報を、前記識別情報による決済を管理する決済管理装置に送信し、前記識別情報が有効なものであることが確認されたときに前記決済管理装置により行われる指示に基づいて、前記識別情報を記憶する記憶手段と
を備えることを特徴とする携帯情報端末。
【請求項９】
前記決済管理装置から提供される所定のアプリケーションを取得する取得手段と、
前記取得手段により取得された前記アプリケーションにより実現され、前記決済管理装置との間で行われる通信の暗号化処理または復号処理を制御する制御手段と
をさらに備えることを特徴とする請求項８に記載の携帯情報端末。
【請求項１０】
ユーザが加入するクレジットサービスにおいて発行されたクレジットカードに配設されるＩＣチップから、無線通信にて、前記ユーザに対して割り当てられ、所定の決済に用いられる識別情報を読み出す読み出しステップと、
前記読み出しステップの処理により読み出された前記識別情報を、前記識別情報による決済を管理する決済管理装置に送信し、前記識別情報が有効なものであることが確認されたときに前記決済管理装置により行われる指示に基づいて、前記識別情報を記憶する記憶ステップと
を含むことを特徴とする情報処理方法。
【請求項１１】
ユーザが加入するクレジットサービスにおいて発行されたクレジットカードに配設されるＩＣチップから、無線通信にて、前記ユーザに対して割り当てられ、所定の決済に用いられる識別情報を読み出す読み出しステップと、
前記読み出しステップの処理により読み出された前記識別情報を、前記識別情報による決済を管理する決済管理装置に送信し、前記識別情報が有効なものであることが確認されたときに前記決済管理装置により行われる指示に基づいて、前記識別情報を記憶する記憶ステップと
を含むことを特徴とするコンピュータが読み取り可能なプログラム。
【請求項１２】
ユーザが加入する所定のクレジットサービスにおいて、前記ユーザに対して割り当てられた識別情報による決済を管理する決済管理装置に対して、前記ユーザを識別するユーザ識別情報を送信する送信手段と、
前記送信手段により送信された前記ユーザ識別情報に対応付けて前記決済管理装置により管理されている前記識別情報が有効なものであると判定された場合に、前記決済管理装置から提供される前記識別情報を記憶する記憶手段と
を備えることを特徴とする携帯情報端末。
【請求項１３】
前記決済管理装置から提供される所定のアプリケーションを取得する取得手段と、
前記取得手段により取得された前記アプリケーションにより実現され、前記決済管理装置との間で行われる通信の暗号化処理または復号処理を制御する制御手段と
をさらに備えることを特徴とする請求項１２に記載の携帯情報端末。
【請求項１４】
ユーザが加入する所定のクレジットサービスにおいて、前記ユーザに対して割り当てられた識別情報による決済を管理する決済管理装置に対して、前記ユーザを識別するユーザ識別情報を送信する送信ステップと、
前記送信ステップの処理により送信された前記ユーザ識別情報に対応付けて前記決済管理装置により管理されている前記識別情報が有効なものであると判定された場合に、前記決済管理装置から提供される前記識別情報を記憶する記憶ステップと
を含むことを特徴とする情報処理方法。
【請求項１５】
ユーザが加入する所定のクレジットサービスにおいて、前記ユーザに対して割り当てられた識別情報による決済を管理する決済管理装置に対して、前記ユーザを識別するユーザ識別情報を送信する送信ステップと、
前記送信ステップの処理により送信された前記ユーザ識別情報に対応付けて前記決済管理装置により管理されている前記識別情報が有効なものであると判定された場合に、前記決済管理装置から提供される前記識別情報を記憶する記憶ステップと
を含むことを特徴とするコンピュータが読み取り可能なプログラム。
【発明の詳細な説明】
【０００１】
【発明の属する技術分野】
本発明は、通信システム、決済管理装置および方法、携帯情報端末および情報処理方法、並びにプログラムに関し、特に、携帯情報端末へのクレジット決済機能の追加を、より安全に、かつ容易に、行うことができるようにする通信システム、決済管理装置および方法、携帯情報端末および情報処理方法、並びにプログラムに関する。
【０００２】
【従来の技術】
近年、インターネット上での商取引の普及に伴い、購入した商品の代金の決済システムが各種実現または提案されている。
【０００３】
例えば、代金の決済システムとして、ＩＣチップが内蔵されたクレジットカードを用いることが既に行われ、普及しつつある。
【０００４】
この場合、ユーザは、パーソナルコンピュータに接続されたリーダライタに、自分自身のクレジットカードを載置するだけで、カードに内蔵されたＩＣチップのメモリに記憶されているカード番号や有効期限等の情報を、暗号化して、その決済を管理するサーバに送信することができる。
【０００５】
これにより、単に、ブラウザ上で、カード番号を直接入力する場合に課題となっていた、カード番号の漏洩などを防止することが可能となる。
【０００６】
また、そのようなインターネット上での商取引における決済に、商品を購入した顧客の携帯電話機を用いることも提案されている（特許文献１）。
【０００７】
この特許文献１に記載されている決済システムにおいては、決済を要求してきた携帯電話機の電話番号等から、顧客の銀行口座の情報が取得され、課金が行われるため、カード番号等の個人情報を送受信することなく、決済を行うことが可能とされている。
【０００８】
【特許文献１】
特開２００２−５６３３８号公報
【０００９】
【発明が解決しようとする課題】
しかしながら、上記特許文献１に記載されている決済システムを利用するためには、ユーザは、自分の携帯電話機の電話番号と銀行口座の情報を、そのシステムを管理するサーバなどに登録しなければならず、それらの情報を登録することに抵抗がある者もいることが予想される。
【００１０】
すなわち、心理的には、代金の決済を行う以上、銀行口座やクレジットカードの情報を登録することは不可避的なものであるとしても、それ以外の個人情報については、それを他人（サーバなど）に教えたくない、と考えるのが普通である。
【００１１】
そこで、携帯電話機に内蔵されるＩＣチップやメモリに、直接、クレジットカード番号などの情報を記憶させておき、それを用いて、代金の決済を行うことも考えられるが、その記憶自体を、セキュリティを確保しつつ、かつ、容易に行うことが、非常に困難であるという課題がある。
【００１２】
例えば、ユーザが、携帯電話機を操作して、直接、自分自身のカード番号や有効期限などの情報を携帯電話機に登録できるとした場合、いわゆる「なりすまし」を防止することはできない。すなわち、他人のクレジットカード番号や有効期限を、自分の携帯電話機に入力することで、不正を行おうとする者は、それを容易に行うことができる。
【００１３】
従来のＩＣチップが内蔵されたクレジットカードの場合は、クレジットカード番号などの情報が記憶された状態でカードが発行されるため、問題となることはないが、既に持っている携帯電話機などに、クレジットカード機能を新たに追加するとなると、そのような課題が生じてしまう。
【００１４】
また、それぞれのユーザの携帯電話機を、クレジットカードの発行会社などが一時的に預かり、その間に、発行会社の従業員が携帯電話機のＩＣチップにクレジットカード情報を記憶させることも考えられるが、現実的ではない。
【００１５】
本発明はこのような状況に鑑みてなされたものであり、携帯情報端末へのクレジット決済機能の追加を、より安全に、かつ容易に、行うことができるようにするものである。
【００１６】
【課題を解決するための手段】
本発明の第１の通信システムの決済管理装置は、携帯情報端末のユーザが加入する所定のクレジットサービスにおいて、ユーザに対して割り当てられ、所定の決済に用いられる識別情報が有効なものであるか否かを判定する判定手段と、判定手段により識別情報が有効なものであると判定された場合、携帯情報端末に識別情報を記憶させる記憶制御手段とを備えることを特徴とする。
【００１７】
また、本発明の第１の通信システムの携帯情報端末は、クレジットサービスにおいて発行されたクレジットカードに配設されるＩＣチップから、無線通信にて識別情報を読み出す読み出し手段と、読み出し手段により読み出された識別情報を、決済管理装置に送信し、識別情報が有効なものであることが確認されたときに決済管理装置により行われる指示に基づいて、識別情報を記憶する記憶手段とを備えることを特徴とする。
【００１８】
本発明の第２の通信システムの決済管理装置は、携帯情報端末のユーザが加入する所定のクレジットサービスにおいて、ユーザに対して割り当てられ、所定の決済に用いられる識別情報が有効なものであるか否かを判定する判定手段と、判定手段により識別情報が有効なものであると判定された場合、携帯情報端末に識別情報を記憶させる記憶制御手段とを備えることを特徴とする。
【００１９】
また、本発明の第２の通信システムの携帯情報端末は、決済管理装置に対して、ユーザを識別するユーザ識別情報を送信する送信手段と、送信手段により送信されたユーザ識別情報に対応付けて決済管理装置により管理されている識別情報が有効なものであると判定された場合に、決済管理装置から提供される識別情報を記憶する記憶手段とを備えることを特徴とする。
【００２０】
本発明の決済管理装置は、携帯情報端末のユーザが加入する所定のクレジットサービスにおいて、ユーザに対して割り当てられ、所定の決済に用いられる識別情報が有効なものであるか否かを判定する判定手段と、判定手段により識別情報が有効なものであると判定された場合、携帯情報端末に識別情報を記憶させる記憶制御手段とを備えることを特徴とする。
【００２１】
判定手段は、クレジットサービスにおいて、ユーザに発行されたクレジットカードに配設されるＩＣチップから、無線通信にて携帯情報端末により読み出され、提供される識別情報が有効なものであるか否かを判定するようにすることができる。
【００２２】
本発明の決済管理装置は、ユーザを識別するユーザ識別情報と、識別情報を対応付けて管理する管理手段をさらに備えるようにすることができる。このとき、判定手段は、携帯情報端末から送信されるユーザ識別情報に対応付けて、管理手段により管理されている識別情報が有効なものであるか否かを判定する。
【００２３】
本発明の決済管理装置の決済管理方法は、携帯情報端末のユーザが加入する所定のクレジットサービスにおいて、ユーザに対して割り当てられ、所定の決済に用いられる識別情報が有効なものであるか否かを判定する判定ステップと、判定ステップの処理により識別情報が有効なものであると判定された場合、携帯情報端末に識別情報を記憶させる記憶制御ステップとを含むことを特徴とする。
【００２４】
本発明の第１のプログラムは、携帯情報端末のユーザが加入する所定のクレジットサービスにおいて、ユーザに対して割り当てられ、所定の決済に用いられる識別情報が有効なものであるか否かを判定する判定ステップと、判定ステップの処理により識別情報が有効なものであると判定された場合、携帯情報端末に識別情報を記憶させる記憶制御ステップとを含むことを特徴とする。
【００２５】
本発明の第１の携帯情報端末は、ユーザが加入するクレジットサービスにおいて発行されたクレジットカードに配設されるＩＣチップから、無線通信にて、ユーザに対して割り当てられ、所定の決済に用いられる識別情報を読み出す読み出し手段と、読み出し手段により読み出された識別情報を、識別情報による決済を管理する決済管理装置に送信し、識別情報が有効なものであることが確認されたときに決済管理装置により行われる指示に基づいて、識別情報を記憶する記憶手段とを備えることを特徴とする。
【００２６】
本発明の第１の携帯情報端末は、決済管理装置から提供される所定のアプリケーションを取得する取得手段と、取得手段により取得されたアプリケーションにより実現され、決済管理装置との間で行われる通信の暗号化処理または復号処理を制御する制御手段とをさらに備えるようにすることができる。
【００２７】
本発明の第１の情報処理方法は、ユーザが加入するクレジットサービスにおいて発行されたクレジットカードに配設されるＩＣチップから、無線通信にて、ユーザに対して割り当てられ、所定の決済に用いられる識別情報を読み出す読み出しステップと、読み出しステップの処理により読み出された識別情報を、識別情報による決済を管理する決済管理装置に送信し、識別情報が有効なものであることが確認されたときに決済管理装置により行われる指示に基づいて、識別情報を記憶する記憶ステップとを含むことを特徴とする。
【００２８】
本発明の第２のプログラムは、ユーザが加入するクレジットサービスにおいて発行されたクレジットカードに配設されるＩＣチップから、無線通信にて、ユーザに対して割り当てられ、所定の決済に用いられる識別情報を読み出す読み出しステップと、読み出しステップの処理により読み出された識別情報を、識別情報による決済を管理する決済管理装置に送信し、識別情報が有効なものであることが確認されたときに決済管理装置により行われる指示に基づいて、識別情報を記憶する記憶ステップとを含むことを特徴とする。
【００２９】
本発明の第２の携帯情報端末は、ユーザが加入する所定のクレジットサービスにおいて、ユーザに対して割り当てられた識別情報による決済を管理する決済管理装置に対して、ユーザを識別するユーザ識別情報を送信する送信手段と、送信手段により送信されたユーザ識別情報に対応付けて決済管理装置により管理されている識別情報が有効なものであると判定された場合に、決済管理装置から提供される識別情報を記憶する記憶手段とを備えることを特徴とする。
【００３０】
本発明の第２の携帯情報端末は、決済管理装置から提供される所定のアプリケーションを取得する取得手段と、取得手段により取得されたアプリケーションにより実現され、決済管理装置との間で行われる通信の暗号化処理または復号処理を制御する制御手段とをさらに備えるようにすることができる。
【００３１】
本発明の第２の情報処理方法は、ユーザが加入する所定のクレジットサービスにおいて、ユーザに対して割り当てられた識別情報による決済を管理する決済管理装置に対して、ユーザを識別するユーザ識別情報を送信する送信ステップと、送信ステップの処理により送信されたユーザ識別情報に対応付けて決済管理装置により管理されている識別情報が有効なものであると判定された場合に、決済管理装置から提供される識別情報を記憶する記憶ステップとを含むことを特徴とする。
【００３２】
本発明の第３のプログラムは、ユーザが加入する所定のクレジットサービスにおいて、ユーザに対して割り当てられた識別情報による決済を管理する決済管理装置に対して、ユーザを識別するユーザ識別情報を送信する送信ステップと、送信ステップの処理により送信されたユーザ識別情報に対応付けて決済管理装置により管理されている識別情報が有効なものであると判定された場合に、決済管理装置から提供される識別情報を記憶する記憶ステップとを含むことを特徴とする。
【００３３】
本発明の第１の通信システムの決済管理装置においては、携帯情報端末のユーザが加入する所定のクレジットサービスにおいて、ユーザに対して割り当てられ、所定の決済に用いられる識別情報が有効なものであるか否かが判定され、識別情報が有効なものであると判定された場合、携帯情報端末に識別情報を記憶させることが行われる。また、携帯情報端末においては、クレジットサービスにおいて発行されたクレジットカードに配設されるＩＣチップから、無線通信にて識別情報が読み出され、読み出された識別情報が、決済管理装置に送信され、識別情報が有効なものであることが確認されたときに決済管理装置により行われる指示に基づいて、識別情報が記憶される。
【００３４】
本発明の第２の通信システムの決済管理装置においては、携帯情報端末のユーザが加入する所定のクレジットサービスにおいて、ユーザに対して割り当てられ、所定の決済に用いられる識別情報が有効なものであるか否かが判定され、識別情報が有効なものであると判定された場合、携帯情報端末に識別情報を記憶させることが行われる。また、携帯情報端末においては、決済管理装置に対して、ユーザを識別するユーザ識別情報が送信され、送信されたユーザ識別情報に対応付けて決済管理装置により管理されている識別情報が有効なものであると判定された場合に、決済管理装置から提供される識別情報が記憶される。
【００３５】
本発明の決済管理装置および方法、並びにプログラムにおいては、携帯情報端末のユーザが加入する所定のクレジットサービスにおいて、ユーザに対して割り当てられ、所定の決済に用いられる識別情報が有効なものであるか否かが判定され、識別情報が有効なものであると判定された場合、携帯情報端末に識別情報を記憶させることが行われる。
【００３６】
本発明の第１の携帯情報端末および情報処理方法、並びにプログラムにおいては、ユーザが加入するクレジットサービスにおいて発行されたクレジットカードに配設されるＩＣチップから、無線通信にて、ユーザに対して割り当てられ、所定の決済に用いられる識別情報が読み出され、読み出された識別情報が、識別情報による決済を管理する決済管理装置に送信され、識別情報が有効なものであることが確認されたときに決済管理装置により行われる指示に基づいて、識別情報が記憶される。
【００３７】
本発明の第２の携帯情報端末および情報処理方法、並びにプログラムにおいては、ユーザが加入する所定のクレジットサービスにおいて、ユーザに対して割り当てられた識別情報による決済を管理する決済管理装置に対して、ユーザを識別するユーザ識別情報が送信され、送信されたユーザ識別情報に対応付けて決済管理装置により管理されている識別情報が有効なものであると判定された場合に、決済管理装置から提供される識別情報が記憶される。
【００３８】
【発明の実施の形態】
図１は、本発明を適用した販売システムにおける、商品の注文時の動作の例について示す図である。
【００３９】
本発明を適用した販売システムにおいては、ユーザは、携帯電話機１を用いて、外出先や自宅から、好みの商品の注文（購入の注文、予約の注文等）を行うことができる。
【００４０】
具体的には、ユーザは、携帯電話機１に設けられているカメラ１２で撮影した２次元バーコードに関連付けられている商品の注文を行うことができる。２次元バーコードは、例えば、販売システムを管理する会社により発行され、図１に示されるように、電車内の中吊り広告、新聞や雑誌に掲載される広告、通信販売カタログなどの、様々な広告媒体に印刷される。
【００４１】
図２Ａは、電車内の中吊り広告の例を示す図であり、図２Ｂは、雑誌に掲載されている広告の例を示す図である。図に示されるように、２次元バーコードは、商品の写真や説明の周囲などの所定の位置に印刷される。
【００４２】
図２Ａの左側の中吊り広告は、デジタルカメラに関する広告であり、右側の中吊り広告は、パソコンに関する広告である。図２Ａにおいては、それぞれの広告の右下に、広告に掲載されている商品の注文手続きを行うことができる注文サイトのアドレス（ＵＲＬ（Ｕｎｉｆｏｒｍ  Ｒｅｓｏｕｒｃｅ  Ｌｏｃａｔｏｒ））が埋め込まれている２次元バーコード２１Ａおよび２１Ｂが印刷されている。
【００４３】
従って、ユーザは、図２Ａの左側の中吊り広告を見て、デジタルカメラを購入しようとした場合、２次元バーコード２１Ａを撮影することで、デジタルカメラの注文サイトの画面を携帯電話機１に表示させることができ、右側の中吊り広告に印刷されている２次元バーコード２１Ｂを撮影することで、パーソナルコンピュータの注文サイトの画面を表示させることができる。
【００４４】
同様に、ユーザは、図２Ｂの雑誌に掲載されている広告の２次元バーコード２２から、テレビジョン受像機の注文サイトの画面を携帯電話機１に表示させることができる。このように、例えば、１つの２次元バーコードには、１つの商品が関連付けられている。
【００４５】
すなわち、携帯電話機１においては、ユーザから、注文サイトへのアクセスが指示されたとき、撮影された２次元バーコードの解析が行われ、白黒のパターンにより表されるＵＲＬが取得される。そして、取得されたＵＲＬにより指定される注文サイトへのアクセスが、携帯電話機ネットワークを介して行われる。
【００４６】
図１の例においては、撮影された２次元バーコードから、「ｈｔｔｐ：／／ｗｗｗ．ｍｏｂｉｌｅ．ｃｏｍ／ａｂｃｓｈｏｐ」のＵＲＬ３１が取得され、ＵＲＬ３１により指定される注文サイトにアクセスすることが第１回目のクリックで指示されることに応じて、注文サイトの画面が、白抜き矢印の先に示されるように携帯電話機１の表示部１１に表示されている。
【００４７】
例えば、注文サイトの画面には、加盟店（携帯電話機１から商品を購入できるサービスに加盟している会社、店舗等）の名称、商品名、サイズ、カラー、および単価等の商品情報とともに、商品を注文するとき操作される注文ボタン３２が、操作ボタン１３の１回の操作（クリック）で押下できるように表示される。
【００４８】
従って、ユーザは、２次元バーコード２１を撮影した後、第１回目のクリック（操作ボタン１３の操作）で、所定の商品の購入手続きを行う注文サイトの画面を表示させることができ、第２回目のクリックで、商品を注文することができる。
【００４９】
ユーザにより注文された商品に関する情報、および、その代金の決済のための情報は、販売システムを管理する決済管理会社５１（図４）に送信される。例えば、商品に関する情報として、商品の識別情報、個数等が送信され、決済のための情報として、ユーザが加入しているクレジットサービスにおいて発行されたクレジットカードの識別情報であるカードＩＤが、ユーザの入力操作によらずに、自動的に送信される。従って、ユーザは、この販売システムを利用する前に、クレジットカードのカードＩＤを携帯電話機１に登録しておく必要がある。
【００５０】
図３Ａは、カードＩＤを携帯電話機１に登録する動作の例を示す図である。
【００５１】
携帯電話機１へのカードＩＤの登録は、図３Ａに示されるように、例えば、所定の案内に従って、ユーザのクレジットカード４１が携帯電話機１にかざされることで行われる。
【００５２】
図３Ａにおいては、クレジットカード４１に配設されている非接触ＩＣチップ４１Ａに、携帯電話機１に内蔵される非接触ＩＣカード・リーダライタチップ１７１（図７）がユーザにより近接されている。例えば、非接触ＩＣカード・リーダライタチップ１７１が内蔵される位置に対応する携帯電話機１の筐体表面（この例では、筐体の下方の背面）には、図３Ｂに示されるように、その内部に、非接触ＩＣカード・リーダライタチップ１７１があることを表すマーク１Ｂがプリントており、ユーザは、このマーク１Ｂを非接触ＩＣチップ４１Ａに近接させることで、カードＩＤの登録を行う。
【００５３】
ユーザにより、マーク１Ｂ（非接触ＩＣカード・リーダライタチップ１７１）が非接触ＩＣチップ４１Ａに近接されたとき、クレジットカード４１に配設されている非接触ＩＣチップ４１Ａに記憶されているカードＩＤが、携帯電話機１の非接触ＩＣカード・リーダライタチップ１７１により無線通信を介して読み出され、携帯電話機ネットワークを介して、決済管理会社５１に用意される所定のシステムに携帯電話機１から送信される。そして、カードＩＤの認証が行われた後に行われる、そのシステムによる指示に基づいて、携帯電話機１の非接触ＩＣカード・リーダライタチップ１７１にカードＩＤが登録される。決済管理会社５１のシステムにおいては、クレジットカード４１のカード番号、有効期限、利用者名等の情報が、カードＩＤと対応付けて管理される。
【００５４】
本システムにおいては、セキュリティ上、クレジットカード４１内には直接クレジットカード番号は記憶せず、カードＩＤに変換された情報を携帯電話機１へ読み込むようにしているが、カード内にクレジットカード番号が直接記憶されている場合は、クレジットカード番号を直接読み込むようにしても良い。
【００５５】
これにより、ユーザは、携帯電話機１を、自分のクレジットカード４１の子カードとして利用し、購入した商品の代金を支払うことができる。クレジットカード４１の非接触ＩＣチップ４１Ａから読み出されたカードＩＤの登録処理については、後に詳述する。
【００５６】
図３Ｂは、カードＩＤを携帯電話機１に登録する他の動作の例を示す図であり、この例においては、携帯電話機１の背面に形成されるスロット１ＡにＳＩＭ（Ｓｕｂｓｃｒｉｂｅｒ  Ｉｄｅｎｔｉｔｙ  Ｍｏｄｕｌｅ）カード４２が挿入されることで、カードＩＤの登録が行われている。スロット１Ａは、例えば、所定の蓋部材が外されたときに現れ、図３Ｂは、そのときの外観を示している。
【００５７】
ＳＩＭカード４２がスロット１Ａに挿入されたとき、ＳＩＭカード４２に配設されるチップ４２Ａに記憶されているカードＩＤが携帯電話機１により読み出され、携帯電話機１のメモリに記憶される。
【００５８】
このように、非接触型の登録動作（図３Ａ）だけでなく、接触型の登録動作（図３Ｂ）によって、携帯電話機１にカードＩＤが登録されるようにしてもよい。
【００５９】
以上のようにして携帯電話機１に登録されたカードＩＤを用いて、携帯電話機１のカメラ１２で撮影した２次元バーコードから、購入する商品の検索ページを経ることなく、直接、所定の商品の注文サイトにアクセスし、決済を行うことができるため、ユーザは、場所の制約を受けることなく、かつ、容易に、商品の注文手続きを行うことができる。
【００６０】
また、商品の申し込みを気軽に行うことができることにより、商品を販売する側としても、売り上げの増加が期待でき、それによる利益を得ることができる。
【００６１】
なお、図１の例においては、テレビショッピングで放送された商品コード２４がユーザにより入力されたとき、商品コード２４に基づいて注文サイトのアドレスが検索され、取得されたアドレスに基づいて、注文サイトへのアクセスが自動的に行われるようになされている。これによっても、ユーザは、例えば、所定の桁数の数字を入力するだけといった、非常に簡単な操作で、注文サイトの画面を表示させることができる。
【００６２】
この場合、商品コード２４と、注文サイトのアドレスの対応は、例えば、決済管理会社５１の所定のシステムにより管理される。
【００６３】
図４は、本発明を適用した販売システムの構成例を示す図である。図１と同一の部分については、同一の符号が付されている。
【００６４】
決済管理会社５１は、カード管理システム６１、商品マスタ６２、管理システム６３、会員マスタ６４を有しており、主に、商品の一次受注、および、決済を管理する。
【００６５】
カード管理システム６１は、この販売システムを利用するためのモバイル決済用アプリケーションを携帯電話機１に提供するとともに、携帯電話機１の非接触ＩＣカード・リーダライタチップに記憶されるカードＩＤを管理する。モバイル決済用アプリケーションのダウンロード（携帯電話機１への提供）、および、カードＩＤの書き込みは、図の破線で示されるように、携帯電話機ネットワーク５２を介して行われる。
【００６６】
商品マスタ６２は、ユーザに販売する商品の情報を管理する。後に詳述するように、商品マスタ６２により管理される商品の情報は、その商品の販売元である加盟店（メーカ、販売店等）により登録される。すなわち、決済管理会社５１は、販売を依頼してくる依頼元としての加盟店と、ユーザの仲介となる役割を有している。
【００６７】
管理システム６３は、ユーザ（携帯電話機１）による商品の注文の受け付け、および、通信販売会社５３、デジタルコンテンツ事業者５４、メーカ５５等の加盟店に対する、商品の発注等の各種の処理を管理する。
【００６８】
例えば、注文する商品の識別情報と、カードＩＤが携帯電話機１から送信されてきたとき、管理システム６３は、商品の識別情報に基づいて、その商品を販売する販売元の情報や価格などの商品情報を商品マスタ６２から取得するとともに、カードＩＤに基づいて、ユーザが有するクレジットカードのカード番号や有効期限等の属性情報を会員マスタ６４から取得する。また、管理システム６３は、属性情報等を含む注文情報を、ユーザが注文した商品の販売元である、通信販売会社５３、デジタルコンテンツ事業者５４、メーカ５５に適宜送信し、商品の配送依頼を行う。管理システム６３から送信される注文情報には、配送先の情報、商品コード、適宜行われる与信の結果（オーソリ結果）、受注番号等の情報も含まれる。
【００６９】
会員マスタ６４は、カードＩＤと対応付けて、携帯電話機１のユーザに発行されたクレジットカードのカード番号等の属性情報（クレジットサービス情報）を管理する。会員マスタ６４により管理される属性情報は、ユーザにより登録されるようにしてもよいし、クレジットサービス会社のデータベースから取得されるようにしてもよい。例えば、決済管理会社５１が、クレジットカードの発行業務をも行っている場合、そのデータベースから、カード番号等の属性情報が取得される。
【００７０】
図４においては、決済管理会社５１が管理する販売システムの加盟店として、通信販売会社５３、デジタルコンテンツ事業者５４、およびメーカ５５が示されており、それらの加盟店は、決済管理会社５１から注文情報が送信されてきたとき、在庫の確認、受注処理、商品の発送手配等を行う。
【００７１】
図５は、図４の決済管理会社５１および加盟店１１１（通信販売会社５３、デジタルコンテンツ事業者５４、メーカ５５等）に用意されるシステムの、より詳細な構成例を示す図である。
【００７２】
決済管理会社５１が有するカード管理システム６１のアプリケーション管理サーバ８１は、モバイル決済用アプリケーションのダウンロードを管理し、基地局７１および携帯電話機ネットワーク５２を介して、携帯電話機１にモバイル決済用アプリケーションを提供する。また、アプリケーション管理サーバ８１は、認証部９１を有しており、携帯電話機１から送信されてくるカードＩＤの有効性の確認（判定）や、パスワードやＩＤに基づく、ユーザ認証を行う。
【００７３】
セキュアサーバ８２は、携帯電話機１において実現されているセキュアクライアント２０２（図８）との間で、ＨＴＴＰ（Ｈｙｐｅｒ  Ｔｅｘｔ  Ｔｒａｎｓｆｅｒ  Ｐｒｏｔｏｃｏｌ）による通信と連動して、所定のプロトコルに従った暗号化通信を行う。セキュアサーバ８２による通信が確立された後、ＳＡＭ（Ｓｅｃｕｒｅ  Ａｐｐｌｉｃａｔｉｏｎ  Ｍｏｄｕｌｅ）８３による、非接触ＩＣカード・リーダライタチップ１７１に対する情報の書き込みなどが可能とされる。
【００７４】
ＳＡＭ８３は、携帯電話機１の非接触ＩＣカード・リーダライタチップ１７１（図７）の認証等を行った後、所定のコマンドを生成し、非接触ＩＣカード・リーダライタチップ１７１に記憶されている情報の読み出しや、非接触ＩＣカード・リーダライタチップ１７１に対する情報の書き込み等を行う。非接触ＩＣカード・リーダライタチップ１７１へのデータの書き込みは、例えば、ＳＡＭ８３と同様の機能を有するモジュールが設けられている機器によってのみ可能とされる。
【００７５】
モバイル決済システム１０１は、上述した、商品マスタ６２、管理システム６３、および、会員マスタ６４により構成される。
【００７６】
商品マスタ６２は、加盟店１１１に用意されている受注・発注在庫管理システム１２１のブラウザ１３１から送信される商品情報を記憶する。すなわち、各加盟店は、販売を決済管理会社５１に依頼する商品の情報を、ブラウザにより表示される画面から登録することができる。
【００７７】
受注・発注在庫管理システム１２１は、加盟店１１１の従業員により、管理システム６３が管理する商品情報の登録サイトにアクセスすることが指示されたとき、その登録サイトにアクセスし、ブラウザ１３１により、登録サイトの画面を表示させる。そして、受注・発注在庫管理システム１２１は、登録サイトの画面に入力された商品情報を管理システム６３に送信し、商品情報を登録する。
【００７８】
また、受注・発注在庫管理システム１２１は、管理システム６３から送信される注文情報を受信し、所定の受注処理や、商品７３の配送処理を行う。例えば、受注処理として、受注・発注在庫管理システム１２１は、受注確認メール７２をメールサーバ１２２から携帯電話機１に送信したり、或いは、在庫の管理を行う。
【００７９】
図６は、図４または図５の管理システム６３の機能構成例を示すブロック図である。
【００８０】
商品情報登録部１４１は、受注・発注在庫管理システム１２１のブラウザ１３１から送信されてくる商品情報を受信し、それを商品マスタ６２に登録する。商品情報登録部１４１により商品マスタ６２に登録された商品情報は、適宜、２次元バーコード生成部１４２、注文サイト管理部１４３に出力される。
【００８１】
２次元バーコード生成部１４２は、受注・発注在庫管理システム１２１により商品情報が登録され、その商品用の注文サイトが用意されることに応じて、用意された注文サイトのＵＲＬを表す２次元バーコード（図形画像）を生成する。２次元バーコード生成部１４２により生成された２次元バーコードは、加盟店１１１や、加盟店１１１の商品の広告を代理する広告代理店などに発行される。
【００８２】
注文サイト管理部１４３は、商品情報が登録されることに応じて、商品の注文手続きを行うことができる注文サイトを用意する。また、注文サイト管理部１４３は、注文サイトにアクセスしてきたユーザにより、商品の注文が申し込まれたとき、その申し込みと同時に、携帯電話機１から送信されてくる商品の識別情報に基づいて、商品に関する詳細な情報を商品マスタ６２から取得し、それを注文受付部１４４に出力するとともに、携帯電話機１から送信されるカードＩＤを注文受付部１４４に出力する。
【００８３】
注文受付部１４４は、注文管理サイト１４３から供給されるカードＩＤに基づいて、ユーザのクレジットカード番号や有効期限、発行元等の属性情報を会員マスタ６４から取得し、必要に応じて、与信を行う。その与信が成功したとき、注文受付部１４４は、属性情報とともに、注文サイト管理部１４３から供給される商品情報を発注部１４５に出力し、加盟店１１１への発注を依頼する。
【００８４】
発注部１４５は、上述した注文情報を加盟店１１１に送信し、商品の配送を依頼する。
【００８５】
図７は、携帯電話機１の構成例を示すブロック図である。
【００８６】
ＣＰＵ（Ｃｅｎｔｒａｌ  Ｐｒｏｃｅｓｓｉｎｇ  Ｕｎｉｔ）１６８は、ＲＯＭ（Ｒｅａｄ  Ｏｎｌｙ  Ｍｅｍｏｒｙ）１６９に格納されている制御プログラムをＲＡＭ（Ｒａｎｄｏｍ  Ａｃｃｅｓｓ  Ｍｅｍｏｒｙ）１７０に展開し、制御プログラムに従って携帯電話機１の全体の動作を制御する。例えば、ＣＰＵ１６８は、ユーザからの指示に基づいて、ＤＳＰ（Ｄｉｇｉｔａｌ  Ｓｉｇｎａｌ  Ｐｒｏｃｅｓｓｏｒ）１６４を制御し、基地局７１、携帯電話機ネットワーク５２を介しての通信を制御する。
【００８７】
送信部１６２および受信部１６３においては、例えば、ＰＤＣ（Ｐｅｒｓｏｎａｌ  Ｄｉｇｉｔａｌ  Ｃｅｌｌｕｌａｒ）方式、またはＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式に準拠した通信が行われる。
【００８８】
送信部１６２は、ＤＳＰ１６４から音声情報が供給されてきたとき、ディジタルアナログ変換処理、および周波数変換処理等の所定の処理を施し、得られた音声信号を、基地局７１により選択された所定の送信キャリア周波数の無線チャネルによりアンテナ１６１から送信する。
【００８９】
受信部１６３は、例えば、音声通話モード時において、アンテナ１６１で受信されたＲＦ信号を増幅して周波数変換処理およびアナログディジタル変換処理等の所定の処理を施し、得られた音声情報をＤＳＰ１６４に出力する。
【００９０】
ＤＳＰ１６４は、受信部１６３から供給されてくる音声情報に対して、例えば、スペクトラム逆拡散処理を施し、得られたデータを音声処理部１６５に出力する。また、ＤＳＰ１６４は、音声処理部１６５から供給されてくる音声情報に対してスペクトラム拡散処理を施し、得られたデータを送信部１６２に出力する。
【００９１】
音声処理部１６５は、マイクロフォン１６７により集音されたユーザの音声を音声情報に変換し、それをＤＳＰ１６４に出力する。また、音声処理部１６５は、ＤＳＰ１６４から供給されてきた音声情報をアナログ音声信号に変換し、対応する音声信号をスピーカ１６６から出力する。
【００９２】
表示部１１は、ＬＣＤ（Ｌｉｑｕｉｄ  Ｃｒｙｓｔａｌ  Ｄｉｓｐｌａｙ）などにより構成され、ＣＰＵ１６８から供給されてきた情報に基づいて、対応する画面を表示する。
【００９３】
カメラ１２は、ＣＰＵ１６８による制御に従って撮影し、得られた画像をＣＰＵ１６８に出力する。
【００９４】
入力部１３は、携帯電話機の筐体表面に設けられているテンキー、通話ボタン、および電源ボタン等の各種のボタンに対するユーザの入力を検出し、対応する信号をＣＰＵ１６８に出力する。
【００９５】
非接触ＩＣカード・リーダライタチップ１７１は、外部のリーダライタに対する非接触ＩＣカードとしての機能と、外部の非接触ＩＣカードに対するリーダライタとしての機能を実現する１チップのモジュールである。
【００９６】
例えば、非接触ＩＣカードの機能が有効になっている場合、非接触ＩＣカード・リーダライタチップ１７１は、外部のリーダライタとの間で非接触により通信を行い、メモリ１８１に保存されている所定の情報を提供する。一方、リーダライタの機能が有効になっている場合、非接触ＩＣカード・リーダライタチップ１７１は、携帯電話機１にかざされた（近接された）クレジットカードに設けられている非接触ＩＣカードとの間で非接触により通信を行い、その非接触ＩＣカードのメモリに保存されている各種の情報の読み出しや、情報の書き込みを行う。
【００９７】
なお、図７においては、アンテナ１８２が１つだけ図示されているが、非接触ＩＣカード・リーダライタチップ１７１が非接触ＩＣカードとして機能するときに用いられるアンテナと、リーダライタとして機能するときに用いられるアンテナがそれぞれ設けられるようにしてもよい。
【００９８】
図８は、携帯電話機１の機能構成例を示すブロック図である。
【００９９】
図７の各機能部は、ＣＰＵ１６８、および、非接触ＩＣカード・リーダライタチップ１７１の図示せぬＣＰＵにより所定のプログラムが実行されることで実現される。例えば、画像解析部１９１、通信制御部１９２、撮影制御部１９３、表示制御部１９４は、アプリケーション管理サーバ８１からダウンロードされたモバイル決済用アプリケーションが実行されることにより実現される。
【０１００】
画像解析部１９１は、カメラ１２により撮影され、撮影制御部１９３から供給される２次元バーコードの白黒のパターンを解析し、２次元バーコードに含まれるＵＲＬを取得する。画像解析部１９１により取得されたＵＲＬは、通信制御部１９２に出力される。
【０１０１】
通信制御部１９２は、送信部１６２および受信部１６３を制御し、例えば、ブラウザ２０２により、決済管理会社５１のカード管理システム６１とＨＴＴＰによる通信を行うとともに、セキュアクライアント２０２により、セキュアサーバ８２との間で行われる通信の暗号化処理、復号処理等を制御する。
【０１０２】
表示制御部１９４は、表示部１１の表示を制御する。例えば、表示制御部１９４は、２次元バーコードを解析することでアクセスされた、商品の注文サイトの画面を表示部１１に表示させる。
【０１０３】
チップ制御部１９５の非接触ＩＣカード制御部２１１は、非接触ＩＣカード・リーダライタチップ１７１を制御して、非接触ＩＣカードとしての機能を実現し、例えば、外部のリーダライタからの要求に応じて、メモリ１８１に記憶されている情報を提供する。リーダライタ制御部２１２は、非接触ＩＣカードリーダライタとしての機能を実現し、外部の非接触ＩＣカードに記憶されているデータの管理などを行う。
【０１０４】
メモリ管理部２１３は、メモリ１８１に記憶されている情報の読み出し、および、メモリ１８１への情報の書き込みを管理する。
【０１０５】
図９は、メモリ管理部２１３により管理されるメモリ１８１の例を示す図である。
【０１０６】
図に示されるように、メモリ１８１には、共通領域１８１Ａと個別領域１８１Ｂが形成される。共通領域１８１Ａは、非接触ＩＣカード・リーダライタチップ１７１を利用するそれぞれのアプリケーションが、自由に、そこに領域を形成し、データを記憶させることが可能な領域であり、個別領域１８１Ｂは、例えば、携帯電話機１のキャリアなどの所定の企業等に、専用のものとして予め割り当てられている領域である。
【０１０７】
共通領域１８１Ａには、例えば、カード管理システム６１のＳＡＭ８３からの指示に基づいて、カードＩＤ等の情報が記憶される。また、決済管理会社５１が、電子マネーの発行をも行っている場合、共通領域１８１Ａには、その発行を管理する電子マネー管理システム１８１のＳＡＭ２３３からの指示に基づいて、電子マネー情報等も記憶される。
【０１０８】
一方、個別領域１８１Ｂには、例えば、携帯電話機１のキャリアが管理する、サービス提供者２４１Ａ乃至２４１Ｃから供給される情報が記憶される。
【０１０９】
なお、上述したように、セキュアサーバを有しているシステムのみが、携帯電話機１のセキュアクライアント２０２との間で暗号化通信を行うことができ、また、ＳＡＭを有しているシステムのみが、所定の情報をメモリ１８１に書き込むことが可能である。従って、アプリケーション管理システム２５１、セキュアサーバ２５２、ＳＡＭ２５３からなる通信管理システムを、サービス提供者２０１Ａ乃至２０１Ｃに対して提供する有償のサービス（通信代行サービス）を、決済管理会社５１が行うようにしてもよい。
【０１１０】
図８の説明に戻り、通信制御部２１４は、非接触ＩＣカード制御部２１１、リーダライタ制御部２１２からの指示に基づいて、アンテナ１８２の負荷を制御し、外部のリーダライタや非接触ＩＣカードとの間で行われる近距離の無線通信を制御する。
【０１１１】
携帯電話機１以外の、図４および図５の各システムは、例えば、図１０に示されるようなパーソナルコンピュータが単独で、或いは、複数が協働して実現される。
【０１１２】
ＣＰＵ２６１は、ＲＯＭ２６２に記憶されているプログラム、または、記憶部２６８からＲＡＭ２６３にロードされたプログラムに従って各種の処理を実行する。ＲＡＭ２６３にはまた、ＣＰＵ２６１が各種の処理を実行する上において必要なデータなどが適宜記憶される。
【０１１３】
ＣＰＵ２６１、ＲＯＭ２６２、およびＲＡＭ２６３は、バス２６４を介して相互に接続されている。このバス２６４にはまた、入出力インタフェース２６５も接続されている。
【０１１４】
入出力インタフェース２６５には、キーボードやマウスなどから構成される入力部２６６、ＬＣＤなどのディスプレイからなる出力部２６７、ハードディスクなどより構成される記憶部２６８、および、通信部２６９が接続されている。通信部２６９は、ネットワークを介しての通信を行う。
【０１１５】
入出力インタフェース２６５には、必要に応じてドライブ２７０が接続され、磁気ディスク２７１、光ディスク２７２、光磁気ディスク２７３、或いは半導体メモリ２７４などが適宜装着され、それから読み出されたコンピュータプログラムが、必要に応じて記憶部２６８にインストールされる。
【０１１６】
以下、適宜、図１０の構成を、図４および図５の各システムの構成として引用する。
【０１１７】
次に、以上の構成を有する販売システムの動作について説明する。
【０１１８】
始めに、図１１のフローチャートを参照して、カードＩＤを携帯電話機１に登録する処理について説明する。
【０１１９】
ステップＳ１において、携帯電話機１のＣＰＵ１６８は、ユーザからの指示に従ってブラウザ２０１を起動する。ブラウザ２０１が起動された後、通信制御部１９２は、ステップＳ２において、カード管理システム６１のアプリケーション管理サーバ８１（図５）により管理される登録サイトに、基地局７１および携帯電話機ネットワーク５２を介してアクセスし、カードＩＤの登録を要求する。
【０１２０】
アプリケーション管理サーバ８１は、ステップＳ２１において、携帯電話機１からの要求を受信し、ステップＳ２２に進み、モバイル決済用アプリケーションのダウンロードを開始する。
【０１２１】
携帯電話機１は、アプリケーション管理サーバ８１からダウンロードされたモバイル決済用アプリケーションを、ステップＳ３において受信し、そのダウンロードが完了したとき、ステップＳ４に進み、モバイル決済用アプリケーションを起動する。これにより、携帯電話機１にセキュアクライアント２０２が実現され、カード管理システム６１のセキュアサーバ８２との間で、セキュアな通信が実現される。
【０１２２】
ステップＳ５において、表示制御部１９４は、ユーザに対して、クレジットカードを携帯電話機１（非接触ＩＣカード・リーダライタチップ１７１）にかざすことを案内する画面を表示部１１に表示させる。
【０１２３】
また、このとき、ユーザに予め割り当てられているＰＩＮ（Ｐｅｒｓｏｎａｌ  Ｉｄｅｎｔｉｆｉｃａｔｉｏｎ  Ｎｕｍｂｅｒ）の入力も案内される。通信制御部１９２は、その案内に応じて入力されたＰＩＮを送信部１６２からアプリケーション管理サーバ８１に送信する。
【０１２４】
携帯電話機１から送信されたＰＩＮを受信したアプリケーション管理サーバ８１により、ステップＳ２３において、その認証が行われ、認証が成功したとき、それ以降の処理が行われる。
【０１２５】
ＰＩＮを送信し、その認証が行われた後、リーダライタ制御部２１２は、非接触ＩＣカード・リーダライタチップ１７１を制御し、クレジットカードに配設されている非接触ＩＣカードの探索（ポーリング）を開始する。
【０１２６】
表示部１１に表示される案内に従って、ユーザは、図３Ａに示されるように、自分のクレジットカード４１を携帯電話機１にかざし（近接させ）、非接触ＩＣカード４１Ａに記憶されているカードＩＤを非接触ＩＣカード・リーダライタチップ１７１に読み取らせる。
【０１２７】
クレジットカード４１が近接されたことを検出したとき、ステップＳ７において、リーダライタ制御部２１２は、非接触ＩＣカード４１Ａに記憶されているカードＩＤを読み出す。リーダライタ制御部２１２により読み出されたカードＩＤは、セキュアクライアント２０２に出力される。
【０１２８】
セキュアクライアント２０２は、ステップＳ８において、カードＩＤをカード管理システム６１に送信し、カードＩＤを、メモリ１８１に書き込むことを要求する。
【０１２９】
ステップＳ２４において、カード管理システム６１の認証部９１は、携帯電話機１から送信されてきたカードＩＤを受信する。なお、カードＩＤは、携帯電話機１のセキュアクライアント２０２により暗号化が施されて送信され、セキュアサーバ８２により復号される。他の情報も、必要に応じて、セキュアサーバ８２とセキュアクライアント２０２により、暗号化処理が施されて送受信される。
【０１３０】
また、ステップＳ２４において、認証部９１は、図示せぬカード会社のデータベースに記憶されている情報に基づいて、携帯電話機１から送信されてきたカードＩＤが有効なものであるか否かを判定する。なお、携帯電話機１のユーザに、パスワードやＩＤの入力を要求し、要求に応じて入力されたパスワード等の情報にも基づいて、カードＩＤの有効性の確認が行われるようにしてもよい。
【０１３１】
カードＩＤが有効なものであることが認証部９１により確認されたとき、ステップＳ２５において、カード管理システム６１のＳＡＭ８３は、携帯電話機１に対して、カードＩＤを登録するためのエリアの作成、および、作成したエリアへのサービスの登録を指示するコマンドをセキュアサーバ８２を介して送信する。ここで送信されるサービスの登録を指示するコマンドには、例えば、カードＩＤに基づいて取得された、ユーザが携帯電話機１にかざしたクレジットカードの発行元であるクレジットサービスのサービス名、サービスの識別情報等が含まれている。
【０１３２】
携帯電話機１のセキュアクライアント２０２は、ステップＳ９において、ＳＡＭ８３から送信されてきたコマンドを受信し、それをメモリ管理部２１３に出力する。メモリ管理部２１３は、ステップＳ１０において、供給されてきたコマンドに従って、カードＩＤを登録する領域（カードエリア）を、メモリ１８１の共通領域１８１Ａに作成するとともに、サービスを登録する。
【０１３３】
カードエリアの作成、および、サービスの登録が完了したとき、ステップＳ１１において、セキュアクライアント２０２は、カードＩＤの書き込みをカード管理システム６１に対して要求する。
【０１３４】
携帯電話機１からの要求は、ステップＳ２６において、カード管理システム６１のＳＡＭ８３により受信される。ＳＡＭ８３は、携帯電話機１のメモリ１８１に作成されたカードエリアに、カードＩＤを書き込ませるためのコマンドを作成し、ステップＳ２７に進み、それを携帯電話機１に対して送信する。
【０１３５】
ＳＡＭ８３から送信されたコマンドは、ステップＳ１２において、セキュアクライアント２０２により受信され、メモリ管理部２１３に出力される。メモリ管理部２１３は、ステップＳ１３において、ＳＡＭ８３から送信されてきたコマンドに従って、ステップＳ１０で登録したサービスに対応付けて、登録が指示されたクレジットカードのカードＩＤを登録する。
【０１３６】
また、メモリ管理部２０３は、カードＩＤ（クレジットカード）の有効期限等の情報も、必要に応じて、カードＩＤとともにメモリ１８１に登録する。
【０１３７】
図１２Ａ乃至図１２Ｄは、メモリ１８１の状態の遷移の例を示す図である。
【０１３８】
図１２Ａは、メモリ１８１の出荷時の状態を示す図であり、例えば、ＳＡＭ８３から、カードエリアの作成、および、サービスの登録コマンドが送信されてきたタイミングで、共通領域１８１Ａが活性化され（図１２Ｂ）、続けて、カードエリア２８１が作成される（図１２Ｃ）。
【０１３９】
カードエリア２８１が作成された後、図１１Ｄに示されるように、カードエリア２８１に、クレジットサービスの情報とカードＩＤが登録される。図１１Ｄの例においては、サービス名である「サービスＡ」と、カードＩＤである「０００１」が、カードエリア２８１に書き込まれている。
【０１４０】
カードＩＤの書き込みが完了したとき、ステップＳ１４において、セキュアクライアント２０２は、カード管理システム６１に対して、カードＩＤの書き込みが正常に完了したことを通知する。
【０１４１】
携帯電話機１からの通知を、ステップＳ２８において受信した管理システム６３は、携帯電話機１のユーザの情報を、販売システムの会員の情報として会員マスタ６４に登録し、処理を終了させる。
【０１４２】
図１３は、会員マスタ６４に登録される情報の例を示す図である。
【０１４３】
例えば、カードＩＤ、クレジットカードのカード番号、発行元、有効期限、氏名、住所、メールアドレス等の情報が、販売システムの会員の情報として登録される。
【０１４４】
このように、住所やメールアドレス等が、会員マスタ６４に予め登録されているため、ユーザは、商品を購入する毎に、それらの情報を入力することなく、登録している住所を商品の配送先とすることができ、また、メールアドレスを、加盟店１１１からの確認メールの送信先とすることができる。
【０１４５】
なお、図１３の例においては、カードＩＤ「０００１」に対応付けて、カード番号「００００−００００−００００−００００」、発行元「ＪＣＣ」、有効期限「０５／０５（２００５年５月）」、氏名「ＹＡＭＡＤＡ」、住所「東京・・」、メールアドレス「ＹＡＭＡＤＡ＠Ａ．ｃｏ．ｊｐ」が登録され、同様に、それ以外の会員の情報も登録されている。配送先等の情報は、必要に応じて、郵便や、上述したセキュアサーバ８２とセキュアクライアント２０２の間で行われる暗号化通信を介して、ユーザにより登録される。
【０１４６】
このように、パスワードなどを用いて、携帯電話機１のユーザが、クレジットサービスの契約者（クレジットカードの発行を受けているユーザ）であることを確認したり、カードＩＤの有効性を確認してから、カード管理システム６１のＳＡＭ８３によりカード情報が登録されるようにしたため、いわゆる「なりすまし」などの不正な行為を防止することができる。仮に、ユーザが、カードＩＤを携帯電話機に直接登録できるとした場合、他人のカードＩＤなどを、自分自身の携帯電話機に登録することができ、容易に、「なりすまし」などの不正な行為が可能となるが、以上の処理により、それが不可能となる。
【０１４７】
また、携帯電話機１とカード管理システム６１等の間で送受信される情報には、セキュアサーバ８２とセキュアクライアント２０２により管理されている鍵情報に基づく暗号化が施されるため、カードＩＤ等の漏洩を防止することができる。
【０１４８】
さらに、クレジットカードを携帯電話機１にかざすといった、より直感的な操作で、カードＩＤを登録することができる。従って、ユーザは、パスワード等の入力のみで、煩雑な操作をすることなく、それを行うことができる。
【０１４９】
次に、図１４のフローチャートを参照して、カードＩＤを携帯電話機１に登録する、他の処理について説明する。
【０１５０】
図１４の処理は、携帯電話機１により、クレジットカードからカードＩＤが読み出され、それが決済管理会社５１（カード管理システム６１）に送信されるのではなく、携帯電話機１から送信されてきた所定の識別情報に基づいて、決済管理会社５１が、ユーザのカードＩＤを取得し、その有効性を確認する点が、図１１の処理と異なっている。
【０１５１】
従って、実際に（物理的に）クレジットカードが発行されていない場合であっても、識別情報さえ発行されていれば、ユーザは、その識別情報に対応するカードＩＤを携帯電話機１に登録させることができる。
【０１５２】
図１４の処理は、基本的には、図１１を参照して説明した処理と同様である。すなわち、ステップＳ４０において、携帯電話機１のＣＰＵ１６８は、ユーザからの指示に応じてブラウザ２０１を起動し、例えば、カード管理システム６１のアプリケーション管理サーバ８１により管理される登録サイトにアクセスする。
【０１５３】
登録サイトにアクセスしたとき、携帯電話機１の表示部１１には、ユーザに発行されている識別情報を入力する入力画面が表示されるため、ユーザは、その入力画面に従って、識別情報を入力する。
【０１５４】
例えば、識別情報として、クレジットカードの発行の際に、ユーザに予め通知されているパスワードやサービスＩＤ、クレジットカード番号のうちの所定の桁数の番号、クレジットカードの裏面に印刷されているＣＶＶ（Ｃａｒｄ  Ｖｅｒｉｆｉｃａｔｉｏｎ  Ｖａｌｕｅ）等が用いられる。当然、クレジットカード番号の全ての桁数を識別情報として用いるようにしてもよいが、クレジットカード番号の漏洩を防止するため、これらの番号を用いることが好ましい。
【０１５５】
ユーザにより入力された識別情報は、ステップ４２において、カード管理システム６１に送信される。
【０１５６】
アプリケーション管理サーバ８１の認証部９１は、ステップＳ６１において、携帯電話機１から送信されてきた識別情報を受信し、ステップＳ６２に進み、識別情報に基づいて、カードＩＤを取得する。例えば、識別情報とカードＩＤを対応付けて管理する会員マスタ６４や、所定のクレジットサービス会社のデータベースから、識別情報に対応するカードＩＤ（ユーザが登録を希望するカードＩＤ）が取得される。
【０１５７】
ステップＳ６３において、認証部９１は、取得したカードＩＤの有効性を確認し、カードＩＤが有効であることを確認したとき、それ以降の処理を行う。
【０１５８】
また、識別情報の他に、ユーザに対してＰＩＮの入力も案内され、それによる認証が行われるようにしてもよい。この場合、通信制御部１９２は、ステップＳ４３において、案内に応じてユーザにより入力されたＰＩＮを送信部１６２からアプリケーション管理サーバ８１に送信し、ステップＳ６４において行われる認証が成功したとき、それ以降の処理を行う。
【０１５９】
アプリケーション管理サーバ８１は、カードＩＤの有効性の確認、および、ＰＩＮの認証を行った後、ステップＳ６５において、モバイル決済用アプリケーションのダウンロードを開始する。
【０１６０】
携帯電話機１のＣＰＵ１６８は、ステップＳ４４において受信されるモバイル決済用アプリケーションのダウンロードが完了したとき、ステップＳ４５に進み、それを起動する。
【０１６１】
ステップＳ６６において、カード管理システム６１のＳＡＭ８３は、出荷時に、メモリ１８１の共通領域１８１Ａに設定されている仮の鍵情報を更新するコマンドを携帯電話機１に送信する。
【０１６２】
携帯電話機１のメモリ管理部２１３は、ステップ４６において、ＳＡＭ８３から送信されてきたコマンドを受信し、ステップ４７に進み、カードエリア２８１に設定する鍵情報を更新する。
【０１６３】
携帯電話機１のメモリ１８１において更新された鍵情報に対応する鍵情報が、カード管理システム６１のＳＡＭ８３に用意されるため、これ以降、その鍵情報を有する機器のみが、携帯電話機１のメモリ１８１に記憶されているカードＩＤを読み出すことができる。
【０１６４】
ステップ４８以降の、携帯電話機１と、決済管理会社５１の各システム間の処理は、図１１のステップＳ９乃至Ｓ１４，Ｓ２５乃至Ｓ２８の処理とそれぞれ同様である。
【０１６５】
すなわち、ステップＳ６７において、カード管理システム６１のＳＡＭ８３により、カードＩＤを登録するためのエリアの作成、および、作成したエリアへのサービスの登録を指示するコマンドが携帯電話機１に対して送信され、このコマンドをステップＳ４８で取得したメモリ管理部２１３により、ステップＳ４９において、カードエリアの作成と、サービスの登録が行われる。
【０１６６】
カードエリアの作成、および、サービスの登録が完了したとき、ステップＳ５０において、携帯電話機１のセキュアクライアント２０２からカード管理システム６１に対して、カードＩＤの書き込みが要求され、この要求に応じてカード管理システム６１のＳＡＭ８３から送信されてきたコマンドに基づいて、ステップＳ５２において、カードエリア２８１にカードＩＤが書き込まれる。
【０１６７】
カードＩＤの書き込みが完了したとき、セキュアクライアント２０２からカード管理システム６１に対して、カードＩＤの書き込みが正常に完了したことが通知され、ステップＳ７０において、携帯電話機１のユーザに関する情報が、販売システムの会員の情報として登録された後、処理が終了される。
【０１６８】
以上のように、実際にクレジットカードがユーザに発行されていない場合であっても、クレジットサービスを契約しているユーザは、所定の識別情報を入力しさえすれば、カードＩＤを携帯電話機１に登録することができ、それによる決済を行うことができる。
【０１６９】
以上のようにして携帯電話機１にカードＩＤを登録させた後、ユーザは、携帯電話機１で撮影した２次元バーコードから所定の商品の注文サイトにアクセスし、商品の購入を申し込むとともに、カードＩＤによるクレジット決済を行うことができる。
【０１７０】
以上のような登録処理が繰り返し行われ、複数のクレジットカードに対応するカードＩＤが携帯電話機１に登録されるようにしてもよい。この場合、ユーザは、複数のカードＩＤから所定のカードＩＤを選択し、それによる代金の決済を行うことができる。
【０１７１】
次に、図１５のフローチャートを参照して、加盟店１１１により、商品情報が登録される一連の処理について説明する。
【０１７２】
例えば、加盟店１１１の従業員により、商品情報の登録が指示されたとき、ステップＳ８１において、受注・発注在庫管理システム１２１のＣＰＵ２６１（図１０）は、ブラウザ１３１を起動し、ステップＳ８２に進み、商品情報を登録する登録サイトにアクセスする。商品情報の登録サイトは、例えば、管理システム６３の商品情報登録部１４１により管理される。
【０１７３】
登録サイトにアクセスしたとき、ステップＳ８３において、ブラウザ１３１により、表示部には、商品登録画面が表示される。
【０１７４】
図１６は、商品登録画面の例を示す図である。
【０１７５】
例えば、商品登録画面には、販売を依頼する商品の商品名を入力する商品名入力欄３０１、商品コードを入力する商品コード入力欄３０２、商品単価を入力する単価入力欄３０３、在庫数（販売数）を入力する在庫入力欄３０４の他、商品の販売、受注等に必要な情報を入力する各種の入力欄が表示される。
【０１７６】
加盟店１１１の従業員により、商品名入力欄３０１乃至在庫入力欄３０４に所定の情報が入力され、商品情報を登録することが指示されたとき、ブラウザ１３１は、ステップＳ８４において、入力された商品情報を管理システム６３の商品情報登録部１４１に送信し、その登録を依頼する。
【０１７７】
管理システム６３の商品情報登録部１４１は、ステップＳ９２において、ブラウザ１３１からの要求を受信し、ステップＳ９３に進み、アクセスしてきたユーザが、商品の注文を行うことができる注文サイトを作成すべく、ＵＲＬを割り当てる（注文サイトのＵＲＬを決定する）。割り当てられたＵＲＬは、２次元バーコード生成部１４２に出力される。
【０１７８】
ステップＳ９４において、２次元バーコード生成部１４２は、商品情報登録部１４１により割り当てられたＵＲＬに、スクランブル処理などの所定の処理を施すことにより、携帯電話機１が解析可能な所定のサイズの２次元バーコードを生成する。また、２次元バーコード生成部１４２は、生成した２次元バーコードを、加盟店１１１、或いは、加盟店１１１が販売する商品の広告を代理する広告代理店等などの指定された発行先に発行する。
【０１７９】
２次元バーコードは、ステップＳ８５において、加盟店１１１等により取得され、その後、印刷業者により、それぞれの広告媒体に印刷される。
【０１８０】
ステップＳ９５において、商品情報登録部１４１は、商品マスタ６２に商品情報を登録し、処理を終了させる。
【０１８１】
以上のような処理が、それぞれの加盟店により行われ、商品マスタ６２には、例えば、図１７に示されるようなデータベースが構築される。
【０１８２】
図１７のデータベースには、商品ＩＤ「００１」が割り当てられている商品の商品名は「マガジンＡ」であり、その価格は「５００円」とされている。また、「マガジンＡ」の販売元は「書店Ａ」であり、「５０冊」の在庫があるとされている。さらに、「マガジンＡ」に対して割り当てられた注文サイトのＵＲＬは「ｈｔｔｐ：／／ＷＷＷ．ｍｏｂｉｌｅ．ｃｏｍ／ａｂｃｓｈｏｐ／」である。従って、ユーザは、このＵＲＬが埋め込まれた２次元バーコードをカメラ１２により撮影し、アクセスを指示することで、「マガジンＡ」の購入手続きを行うことができる注文サイトにアクセスすることができる。
【０１８３】
また、図１７の例においては、商品ＩＤ「００２」が割り当てられている商品の商品名は「家具Ｂ」であり、その価格は「１００００円」とされている。また、「家具Ｂ」の販売元は「インテリアショップＢ」であり、「１０個」の在庫があるとされている。さらに、「家具Ｂ」に対して割り当てられた注文サイトのＵＲＬは「ｈｔｔｐ：／／ＷＷＷ．ｍｏｂｉｌｅ．ｃｏｍ／ｅｆｇｓｈｏｐ／」とされている。
【０１８４】
以上のような商品情報が、商品マスタ６２により管理され、必要に応じて、注文サイト管理部１４３等により読み出される。なお、色や形などの商品の特徴、加盟店の連絡先、商品の配送業者等の情報も、必要に応じて、加盟店１１１の従業員により商品マスタ６２に登録され、商品の注文サイトに掲載される。
【０１８５】
以上のように、パーソナルコンピュータに一般的に用意される、例えば、インターネットエクスプローラ（商標）などのブラウザから商品情報を登録し、商品の販売を決済管理会社５１に依頼することができるため、加盟店が比較的規模の小さい店舗やメーカであっても、容易に、その依頼を行うことができる。
【０１８６】
決済管理会社５１側としても、比較的、規模の小さい店舗やメーカをも、加盟店として有することができ、販売システム自体を、規模の大きいものとすることができる。
【０１８７】
次に、図１８のフローチャートを参照して、携帯電話機１により行われる商品の注文処理について説明する。
【０１８８】
撮影が指示されることに応じて、ステップＳ１１１において、撮影制御部１９３は、カメラ１２を駆動させ、例えば、電車内の中吊り広告に印刷されている２次元バーコード２１Ａ（図２Ａ）を撮影する。撮影制御部１９３により取り込まれた２次元バーコード２１Ａを含む画像は、画像解析部１９１および表示制御部１９４に出力される。すなわち、この場合、図１８の注文処理は、例えば、電車内で行われる。
【０１８９】
操作ボタン１３の所定のボタンが押下され、商品の注文サイトへのアクセスが指示されたとき、画像解析部１９１は、ステップＳ１１２において、撮影制御部１９３から供給される画像に含まれる２次元バーコードを解析し、２次元バーコードにより表されるＵＲＬを抽出する。また、画像解析部１９１は、抽出したＵＲＬを、通信制御部１９２に出力し、そのＵＲＬにより指定される注文サイトへのアクセスを指示する。
【０１９０】
通信制御部１９２のブラウザ２０１は、ステップＳ１１３において、画像解析部１９１から供給されるＵＲＬに基づいて、商品の注文手続きを行う注文サイトにアクセスする。
【０１９１】
ステップＳ１３１で携帯電話機１からアクセスされたとき、ステップＳ１３２において、管理システム６３の注文サイト管理部１４３は、注文サイトの画面のファイルを携帯電話機１に送信する。
【０１９２】
ステップＳ１１４において、携帯電話機１の表示制御部１９４は、注文サイト管理部１４３から送信されてきたファイルに基づいて、注文サイトの画面を表示部１１に表示させる。
【０１９３】
図１９は、注文サイトの画面の例を示す図である。
【０１９４】
図１９に示される画面は、デジタルカメラの購入手続きを行う画面であり、デジタルカメラに関する情報が表示されている。例えば、図２Ａのデジタルカメラの広告（左側の広告）に印刷される２次元バーコード２１Ａが撮影され、注文サイトへのアクセスが指示されたとき、この画面が表示される。
【０１９５】
図１９の画面には、購入手続きを行うことができる商品に関する情報として、デジタルカメラの販売元である加盟店名「Ｓｏｍｙ」、デジタルカメラの商品名「ＤＳＣ−Ｘ」、単価「３００００円」、注文個数「１」が表示されている。これらの情報は、上述した図１５の処理に従って、例えば、加盟店である「Ｓｏｍｙ」の従業員により登録されたものである。
【０１９６】
画面の下方には、商品の購入を申し込むか否かをユーザに問い合わせるメッセージである「購入を申し込みますか？」が表示され、その下に、購入ボタン３１１が表示されている。購入ボタン３１１は、例えば、操作ボタン１３のうちの１つのボタンが１回操作されることに連動して、押下されるようにアクティブにされている。従って、ユーザは、図１９の画面が表示されている状態で、所定のボタンを１回操作するだけで、商品名「ＤＳＣ−Ｘ」のデジタルカメラを１台注文することができる。
【０１９７】
購入ボタン３１１が押下され、商品の購入を申し込むことが指示されたとき、ステップＳ１１５において、ブラウザ２０１は、ユーザにより指示された商品の購入を申し込む。
【０１９８】
注文サイト管理部１４３は、携帯電話機１からの購入申し込みをステップＳ１３３において受信し、ステップＳ１３４に進み、モバイル決済用アプリケーションの起動を携帯電話機１に対して要求する。
【０１９９】
ステップＳ１１６において、ＣＰＵ１６８は、注文サイト管理部１４３からの要求を、受信部１６３等を介して受信し、ステップＳ１１７に進み、カード管理システム６１から、図１１、図１４を参照して説明した処理により予め提供されているモバイル決済用アプリケーションを起動させる。これにより、セキュアクライアント２０２が実現され、カード管理システム６１のセキュアサーバ８２との間で、暗号化通信を行うことが可能となる。
【０２００】
モバイル決済用アプリケーションが起動したとき、ユーザに対して、ＰＩＮの入力が案内される。通信制御部１９２は、その案内に応じて入力されたＰＩＮを、ステップＳ１１８において、アプリケーション管理サーバ８１に送信する。
【０２０１】
携帯電話機１から送信されたＰＩＮを受信したアプリケーション管理サーバ８１により、ステップＳ１３５において、その認証が行われ、認証が成功したとき、それ以降の処理が行われる。
【０２０２】
ステップＳ１１９において、セキュアクライアント２０２は、図１１または図１４の処理によりメモリ１８１に登録されているカードＩＤ、および、カードＩＤの有効期限等の情報を送信し、カードＩＤによるクレジット決済を依頼する。
【０２０３】
ステップＳ１３６において、管理システム６３の注文サイト管理部１４３は、携帯電話機１から送信されてきたカードＩＤ、有効期限等をセキュアサーバ８２を介して受信し、商品マスタ６２から読み出した商品の価格の情報などとともに、カードＩＤや有効期限を注文受付部１４４に出力する。
【０２０４】
また、ステップＳ１３６において、注文受付部１４４は、カードＩＤに対応付けて会員マスタ６４に登録されている属性情報を取得する。例えば、属性情報として、会員マスタ６４に構築されている図１３に示されるようなデータベースから、携帯電話機１のユーザが加入しているクレジットサービスで発行されているクレジットカードのカード番号、発行元、クレジットカードの有効期限、氏名、住所、メールアドレス等が取得される。
【０２０５】
ステップＳ１３７において、注文受付部１４４は、会員マスタ６４から取得されたカード番号に基づいて、クレジットサービス会社や銀行のデータベースにアクセスし、与信（オーソリ）を行う。その与信が成功したとき、注文受付部１４４は、ステップＳ１３８において、受注が完了したことをユーザに提示する画面を表示させるためのファイルを携帯電話機１に送信する。
【０２０６】
その後、注文受付部１４４は、ステップＳ１３９において、ユーザが購入を申し込んだ商品の代金の決済を行う。例えば、注文受付部１４４は、クレジットカードの発行元に対してカード番号や金額情報を送信し、指定されている口座からの代金の引き落とし、および、引き落とした代金を、加盟店１１１の口座に振り込むことを依頼する。
【０２０７】
なお、この決済（クレジットカードの発行元へ依頼）は、例えば、１日毎などの所定の間隔や、後述する処理により、ユーザにより注文内容が確定されたタイミングで行われるようにしてもよい。この場合、注文受付部１４４は、クレジットカードの発行元に対して依頼を行うまで、会員マスタ６４から取得されたクレジットカード番号や、決済する金額の情報等を保存する。
【０２０８】
一方、ステップＳ１２０において、表示制御部１９４は、管理システム６３から送信されてきたファイルをセキュアクライアント２０２を介して受信し、表示部１１に、受注が完了したことを通知する画面を表示させる。管理システム６３から送信される情報には、ここで行われた申し込みを識別する申し込み番号なども含まれており、表示部１１には、例えば、その申し込み番号などが表示される。以上の処理により、携帯電話機１による、商品の申し込みが終了される。
【０２０９】
以上のように、広告に印刷されている２次元バーコードを撮影し、例えば、１クリックだけなどの所定の操作で、その広告に掲載されている商品の注文サイトに直接アクセスすることができるため、ユーザは、例えば、広告を見ながら、気軽に、かつ迅速に、商品の申し込みを行うことができる。
【０２１０】
また、携帯電話機１に登録されているカードＩＤにより、商品の代金のクレジット決済を行うことができるため、クレジットカード番号や有効期限などを、その都度入力する手間を省くことができるとともに、クレジットカード番号をネットワークを介して送信することにより発生しうる、クレジットカード番号の漏洩を防止することができる。
【０２１１】
さらに、携帯電話機１から所定のショッピングサイトにアクセスし、購入する商品を検索し、そこから購入申し込みを行う、携帯電話機を用いた従来の販売システムに比較して、紙などの広告媒体を用いることにより、顧客であるユーザに、より詳細な商品の情報を提供することができる。すなわち、携帯電話機１の画面に表示される広告では、ユーザに提供できる情報に限界があり、特に、表示される画像によっては、商品の魅力を十分に伝えることができないことがあるが、例えば、電車内の中吊り広告などにより、商品の魅力を、十分に伝えることができ、ユーザの購買意欲を引き起こさせることが可能となる。換言すれば、申し込み手続きが容易であることもあり、従来の販売システムに比較して、商品の売り上げを向上させることが可能となる。
【０２１２】
以上においては、携帯電話機１自身が、２次元バーコードを解析し、ＵＲＬを抽出するとしたが、撮影した画像（２次元バーコードを含む画像）を所定のサーバに送信し、その解析結果であるＵＲＬが携帯電話機１に通知され、注文サイトへのアクセスが行われるようにしてもよい。これにより、携帯電話機１に、２次元バーコードを解析する機能が搭載されていない場合であっても、カメラが用意されてさえいれば、以上のように注文サイトに直接アクセスし、その後の手続きを行うことができる。
【０２１３】
また、以上においては、注文サイトへのアクセスが行われ、そのとき表示される画面で、ユーザが注文手続きを行うことができるとしたが、そのようにアクセスが行われるのではなく、広告に印刷されている２次元バーコード自体に、注文サイトの画面と同様の注文画面を携帯電話機１に表示させるためのデータを埋め込み、携帯電話機１による２次元バーコードの解析結果に基づいて、注文画面が表示されるようにしてもよい。その注文画面で、商品の購入を申し込むことがユーザにより指示された場合、携帯電話機１から決済管理会社５１に対して送信される情報は、商品ＩＤやカードＩＤ、有効期限などの情報だけで済むため、通信データ量を減らすことができ、注文の際に必要となる通信料金を抑えることができる。
【０２１４】
次に、図２０のフローチャートを参照して、図１８の処理に続いて、商品が配送されるまでの一連の処理について説明する。
【０２１５】
ステップＳ１５１において、管理システム６３の発注部１４５は、加盟店１１１の受注・発注在庫管理システム１２１に対して注文情報を送信する。注文情報には、決済が完了したこと（図１８のステップＳ３９）を通知する情報の他に、注文受付部１４４により会員マスタ６４から取得された属性情報、配送先情報、商品コード、金額、オーソリ結果、受注番号、携帯電話機１のメールアドレス等も含まれる。
【０２１６】
加盟店１１１の受注・発注在庫管理システム１２１は、ステップＳ１６１において、管理システム６３から送信されてきた注文情報を受信し、ステップＳ１６２に進み、受注処理を行う。例えば、受注処理として、受注・発注在庫管理システム１２１は、ステップＳ１６３に進み、注文情報に含まれる携帯電話機１のメールアドレスに基づいて、携帯電話機１に注文確認メールを送信する。
【０２１７】
注文確認メールは、ステップＳ１８１において、携帯電話機１により受信され、ステップＳ１８２において、その内容が表示部１１に表示される。
【０２１８】
図２１は、注文確認メールの表示例を示す図である。
【０２１９】
図２１に示されるように、例えば、注文確認メールとして、注文が受け付けられた商品の商品名「ＤＳＣ−Ｘ」、価格「３０，０００円」、個数「１」の他、注文主（ユーザ）の氏名「ＹＡＭＡＤＡ」、配送先「東京都・・・」等を、ユーザに確認させる内容が表示される。この注文主の氏名や配送先に関する情報は、会員マスタ６４から取得され、注文情報に含めて、管理システム６３から受注・発注在庫管理システム１２１に提供されたものである。
【０２２０】
また、画面の下方には、申し込みを確定するときに操作される確定ボタン３２１が表示される。ユーザは、この確定ボタン３２１を押下することで、商品名「ＤＳＣ−Ｘ」の商品の購入申し込みを確定させることができる。
【０２２１】
確定ボタン３２１が押下されたとき、ステップＳ１８３において、申し込みを確定させることを通知する返信メールが、携帯電話機１から受注・発注在庫管理システム１２１に対して送信される。
【０２２２】
ステップＳ１６４において、受注・発注在庫管理システム１２１は、携帯電話機１からの返信メールをメールサーバ１２２を介して受信し、ステップＳ１６５に進み、受注確定処理を行う。例えば、受注・発注在庫管理システム１２１は、受注確定処理として、購入された分だけ、在庫の数を減算する処理、配送業者の検索、或いは、注文が確定されたことを決済管理会社５１に通知する処理などを行う。また、受注・発注在庫管理システム１２１は、ステップＳ１６６において、商品の配送を手配し、実際に、商品を配送させる。
【０２２３】
配送された商品は、ステップＳ１８４において、配送先として指定された場所で、携帯電話機１のユーザにより受け取られ、処理が終了される。
【０２２４】
図４の販売システムにおいては、以上のようにして、商品の注文、受注、発注、配送等が行われる。
【０２２５】
以上においては、加盟店１１１から、注文確認メールが送信されるとしたが、当然、決済管理会社５１のメールサーバから送信されるようにしてもよい。
【０２２６】
図２２は、上述した販売システムにおける契約関係、および、金銭の流れの例を示す図である。
【０２２７】
図に示されるように、決済管理会社５１と加盟店１１１の間では、決済管理会社５１が商品の販売を管理し、加盟店１１１が、その販売システムを利用する加盟店契約が成立し、販売システムの利用代金（加盟店手数料）が、加盟店１１１から決済管理会社５１に支払われる。加盟店１１１からの加盟店手数料は、課金システム３３１により収受される。
【０２２８】
決済管理会社５１とカード会員（ユーザ）３４１の間では、決済管理会社５１５１が、クレジットカードと同様の機能（いわゆる子カード機能）を、カード会員３４１が有する携帯電話機１に付与し、カード会員３４１が、その機能による決済を利用できる契約が成立し、子カード機能の提供の対価としての年会費と、販売システムを利用する対価としてのサービス利用料が、カード会員３４１から決済管理会社５１に支払われる。カード会員３４１からの料金は、課金システム３３２により収受される。
【０２２９】
また、決済管理会社５１と、カード会員３４１が有する携帯電話機１に内蔵される非接触ＩＣカード・リーダライタチップ１７１を管理する非接触ＩＣカード管理会社３４２が異なる場合、その間でも、非接触ＩＣカード管理会社３４２が、非接触ＩＣカードの機能を管理する契約（共通領域利用契約、カード発券業務契約（カードＩＤの登録等を、非接触ＩＣカード管理会社３４２が提供する契約））が成立し、その代金（共通領域活性化、エリア登録ライセンス料）が、決済管理会社５１から非接触ＩＣカード管理会社３４２に支払われる。
【０２３０】
さらに、必要に応じて、決済管理会社５１から、カード会員３４１が契約する携帯電話機のキャリア（通信会社）３４３に対して、アプリケーション使用料（モバイル決済用アプリケーションのライセンス料）が支払われる。
【０２３１】
このように、販売システムを管理する決済管理会社５１には、例えば、加盟店１１１からの手数料と、カード会員３４１からの利用料金が支払われることになり、決済管理会社５１は、それによる収益を得ることができる。
【０２３２】
以上においては、携帯電話機１には、非接触ＩＣカード・リーダライタチップ１７１、すなわち、非接触ＩＣカードと、リーダライタの機能を有するモジュールが設けられるとしたが、単に、非接触ＩＣカードの機能を実現するモジュールのみが設けられることによっても、上述したように、識別情報に基づいて登録された（図１４の処理により登録された）カードＩＤを用いた決済を行うことができる。そのような非接触ＩＣカードの機能を実現するモジュールとしては、例えば、Ｆｅｌｉｃａ（登録商標）がある。
【０２３３】
また、以上においては、カード情報が登録される端末が携帯電話機１である場合について説明したが、これ以外にも、ＰＤＡ（Ｐｅｒｓｏｎａｌ  Ｄｉｇｉｔａｌ  Ａｓｓｉｓｔａｎｔｓ）や、ノートブック型のパーソナルコンピュータなどに、カードＩＤが登録され、それを用いた決済が可能とされるようにしてもよい。
【０２３４】
さらに、以上においては、携帯電話機１のユーザが、所定の商品を購入する場合について説明したが、その「商品の購入」には、「サービスの契約」も含まれる。
【０２３５】
また、注文サイトに案内するアドレスとして、２次元バーコードが広告媒体に印刷されるとしたが、そのアドレスは、それぞれの注文サイトを識別することができ、それを取得したユーザ（携帯電話機１）が、注文サイトにアクセスできる情報であれば、どのような情報でもよい。例えば、横方向のみに白黒のパターンが配列された１次元のバーコードや、所定の桁数の数字やアルファベットを、アドレスとして用いることもできる。
【０２３６】
以上においては、注文サイトに案内するそれらのアドレスは、携帯電話機１のカメラ１２により取り込まれるとしたが、例えば、Ｆｅｌｉｃａ（登録商標）のような非接触ＩＣカード（無線通信チップ）が広告媒体の所定の位置に配設されている場合、その非接触ＩＣカードに記憶されているアドレスが、携帯電話機１の非接触ＩＣカード・リーダライタチップ１７１により取り込まれるようにしてもよい。
【０２３７】
図２３Ａおよび図２３Ｂは、広告媒体の他の例を示す図であり、それぞれ、図２Ａおよび図２Ｂの広告媒体と対応する。
【０２３８】
図２３Ａおよび図２３Ｂの広告媒体には、図２Ａおよび図２Ｂの広告媒体の２次元バーコードが印刷されている位置に、非接触ＩＣカード・リーダライタチップ１７１により、情報を読み出すことが可能な、非接触ＩＣカード３５１Ａ，３５１Ｂ，３５２が配設されている。
【０２３９】
このように非接触ＩＣカード３５１Ａ，３５１Ｂ，３５２が広告媒体に配設されている場合、ユーザは、非接触ＩＣカード３５１Ａ，３５１Ｂ，３５２に自分の携帯電話機１を近づけ、非接触ＩＣカード３５１Ａ，３５１Ｂ，３５２に記憶されているアドレスを、携帯電話機１に読み取らせることにより、自らＵＲＬなどを手動入力することなく、注文サイトに直接アクセスすることができる。
【０２４０】
また、以上においては、携帯電話機１のメモリ１８１には、カードＩＤが記憶され、それに基づいて、管理システム６３により、クレジットカード番号等の情報が取得されるとしたが、当然、クレジットカード番号や有効期限、或いは、ユーザの氏名等の情報が、直接、メモリ１８１に記憶され、それによりクレジット決済が行われるようにしてもよい。
【０２４１】
上述した一連の処理は、ハードウェアにより実行させることもできるが、ソフトウェアにより実行させることもできる。
【０２４２】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２４３】
この記録媒体は、図１０に示されるように、装置本体とは別に、ユーザにプログラムを提供するために配布される、プログラムが記録されている磁気ディスク２７１（フレキシブルディスクを含む）、光ディスク２７２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク２７３（ＭＤ（登録商標）（Ｍｉｎｉ−Ｄｉｓｋ）を含む）、もしくは半導体メモリ２７４などよりなるパッケージメディアにより構成されるだけでなく、装置本体に予め組み込まれた状態でユーザに提供される、プログラムが記録されているＲＯＭ２６２や、記憶部２６８に含まれるハードディスクなどで構成される。
【０２４４】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０２４５】
【発明の効果】
本発明によれば、携帯情報端末を用いて、安全な決済を行うことができる。
【０２４６】
また、本発明によれば、携帯情報端末への決済機能の追加を、より安全に、かつ容易に、行うことができる。
【図面の簡単な説明】
【図１】商品の注文時の動作の例について示す図である。
【図２】広告媒体の例を示す図である。
【図３】カードＩＤを携帯電話機に登録する動作を示す図である。
【図４】本発明を適用した販売システムの構成例を示す図である。
【図５】図４の決済管理会社と加盟店の、詳細な構成例を示す図である。
【図６】図５の管理システムの機能構成例を示すブロック図である。
【図７】携帯電話機の構成例を示すブロック図である。
【図８】携帯電話機の機能構成例を示すブロック図である。
【図９】メモリに形成される領域の例を示す図である。
【図１０】パーソナルコンピュータの構成例を示すブロック図である。
【図１１】カードＩＤを携帯電話機に登録する処理について説明するフローチャートである。
【図１２】メモリの状態遷移の例を示す図である。
【図１３】会員マスタに登録されている情報の例を示す図である。
【図１４】カードＩＤを携帯電話機に登録する他の処理について説明するフローチャートである。
【図１５】商品情報を登録する処理について説明するフローチャートである。
【図１６】商品登録画面の例を示す図である。
【図１７】商品マスタに登録されている情報の例を示す図である。
【図１８】商品の注文処理について説明するフローチャートである。
【図１９】注文サイトの画面の例を示す図である。
【図２０】商品が配送されるまでの一連の処理について説明するフローチャートである。
【図２１】注文確認メールの表示例を示す図である。
【図２２】本発明を適用した販売システムにおける契約関係と、金銭の収受の例について示す図である。
【図２３】広告媒体の他の例を示す図である。
【符号の説明】
１  携帯電話機，  １２  カメラ，  ２１乃至２３  ２次元バーコード，  ６１  カード管理システム，  ６２  商品マスタ，  ６３  管理システム，  ６４会員マスタ，  １４１  商品情報登録部，  １４２  ２次元バーコード生成部，  １４３  注文サイト管理部，  １４４  注文受付部，  １４５  発注部，  １９１  画像解析部，  １９２  通信制御部，  １９３  撮影制御部，  １９４表示制御部，  １９５  チップ制御部
【図１】
2004287593.tif 000003
【図２】
2004287593.tif 000004
【図３】
2004287593.tif 000005
【図４】
2004287593.tif 000006
【図５】
2004287593.tif 000007
【図６】
2004287593.tif 000008
【図７】
2004287593.tif 000009
【図８】
2004287593.tif 000010
【図９】
2004287593.tif 000011
【図１０】
2004287593.tif 000012
【図１１】
2004287593.tif 000013
【図１２】
2004287593.tif 000014
【図１３】
2004287593.tif 000015
【図１４】
2004287593.tif 000016
【図１５】
2004287593.tif 000017
【図１６】
2004287593.tif 000018
【図１７】
2004287593.tif 000019
【図１８】
2004287593.tif 000020
【図１９】
2004287593.tif 000021
【図２０】
2004287593.tif 000022
【図２１】
2004287593.tif 000023
【図２２】
2004287593.tif 000024
【図２３】
2004287593.tif 000025